(57)【要約】【課題】操作が容易で据え付け姿勢が限定されない止水栓を提供する。【解決手段】流入口４と流出口５とを端部の夫々に設けた円筒状の弁箱１に、前端に流入口４を開閉する弁体16を設けると共に、後端が流出口５に開口した中空部17を設け、該中空部17に弁箱１と前端側との間に設けた流路18を連通させる通水口19を設けたピストン２を摺動自在に挿嵌し、該ピストン２を、弁箱１内に同心円状にして回転自在に配置され、且つ弁箱１外周に設けた環状溝７より鍔状のダイヤル部3aを外方突設した転輪３に螺挿し、該転輪３の正逆回転により弁体16を流入口４に対し進退自在と成す。【選択図】図１
2005256852.tif 000002
【特許請求の範囲】
【請求項１】
流入口と流出口とを端部の夫々に設けた円筒状の弁箱に、前端に流入口を開閉する弁体
を設けると共に、後端が流出口に開口した中空部を設け、該中空部に弁箱と前端側との間
に設けた流路を連通させる通水口を設けたピストンを摺動自在に挿嵌し、該ピストンを、
弁箱内に同心円状にして回転自在に配置され、且つ弁箱外周に設けた環状溝より鍔状のダ
イヤル部を外方突設した転輪に螺挿し、該転輪の正逆回転により弁体を流入口に対し進退
自在と成したことを特徴とする軸流止水栓。
【発明の詳細な説明】
【技術分野】
【０００１】
本発明は、給水管に設置される軸流式の止水栓に関する。
【背景技術】
【０００２】
従来、給水管に設けられる止水栓は、入口と出口の流路がＳ字形の弁箱において、入口
に通ずる一次側流路と、出口に通ずる二次側流路を連通する弁口を設け、該弁口を開閉す
るコマを設け、該コマには、その軸線方向に進退自在なスピンドルを連繋しており、該ス
ピンドルの進退にて弁口に対するコマの開度を調整し、止水又は通水する様に成している
（例えば、非特許文献１参照）。
【非特許文献１】日本バルブ工業会編、「バルブ便覧」日刊工業新聞社出版、昭和４    ０年３月３０日発行、ｐ．３４９〜３５１
【発明の開示】
【発明が解決しようとする課題】
【０００３】
しかしながら、上記の様な止水栓は、スピンドルが弁箱より突出しているので、その据
え付けにおいて、止水及び通水操作を良好と成すと共に、周辺機器との調和を図るために
は、配管に対する据え付け姿勢が限定されて汎用性に欠ける課題を有していた。
【課題を解決するための手段】
【０００４】
本発明は、上記課題に鑑み、流入口と流出口とを端部の夫々に設けた円筒状の弁箱に、
前端に流入口を開閉する弁体を設けると共に、後端が流出口に開口した中空部を設け、該
中空部に弁箱と前端側との間に設けた流路を連通させる通水口を設けたピストンを摺動自
在に挿嵌し、該ピストンを、弁箱内に同心円状にして回転自在に配置され、且つ弁箱外周
に設けた環状溝より鍔状のダイヤル部を外方突設した転輪に螺挿し、該転輪の正逆回転に
より弁体を流入口に対し進退自在と成すことにより、スピンドルを有しない止水栓を提供
し、上記課題を解決する。
【発明の効果】
【０００５】
要するに本発明は、流入口と流出口とを端部の夫々に設けた円筒状の弁箱に、前端に流
入口を開閉する弁体を設けると共に、後端が流出口に開口した中空部を設け、該中空部に
弁箱と前端側との間に設けた流路を連通させる通水口を設けたピストンを摺動自在に挿嵌
し、該ピストンを、弁箱内に同心円状にして回転自在に配置され、且つ弁箱外周に設けた
環状溝より鍔状のダイヤル部を外方突設した転輪に螺挿し、該転輪の正逆回転により弁体
を流入口に対し進退自在と成したので、転輪を正転することによりピストンを前進させて
弁体で流入口を閉塞して止水し、転輪を逆転させることによりピストンを後退させて弁体
を流入口より離脱させ、流入口から弁箱とピストンの前端側との間に設けた流路、連通口
及び中空部を経て流出口までが連通し、一次側から二次側へ通水させることができる。
従って、本発明によれば、弁箱外周面に露出した転輪を正逆回転することにより、開閉
弁させることができ、その操作が容易であると共に、従来の様に、スピンドルが弁箱より
突出していないので、従来に比し据え付けスペースを大きく確保する必要がなく、その据
え付け姿勢も限定されないため、配管に対する据え付けが簡便である。
【発明を実施するための最良の形態】
【０００６】
以下本発明の実施の一形態例を図面に基づいて説明する。
図１、２は軸流止水栓の縦断面図であり、図１は止水状態を示し、図２は通水状態を示
している。
止水栓は、その弁箱１と、該弁箱１に摺動自在に挿嵌したピストン２と、該ピストン２
を弁箱１外部から進退操作させる転輪３とから主に構成されている。
弁箱１は、略円筒状に形成され、その各端部の夫々に流入口４と、流出口５とを設けて
成り、流入口４の二次側開口周縁には弁座６を設けている。
転輪３は、略円筒状に形成してピストン２を螺挿して成り、弁箱１内に同心円状にして
回転自在に配置され、且つ弁箱１外周に設けた環状溝７より鍔状のダイヤル部3aを外方突
設している。
このため、弁箱１は流入口４側と流出口５側とに前後に分割形成され、その前後分割体
1a、1bは、転輪３により連結されている。
【０００７】
前後分割体1a、1bの分割端部側の外周面の夫々には、一条の環状の凹溝８が刻設され、
該凹溝８の溝底には、その直径方向に一対の貫通孔９を設けて成り、又後方分割体1bは、
分割端部側を残してピストン２の後方部2aを摺動自在に挿嵌する様に小径に形成されてい
る。
一方、転輪３は、前後分割体1a、1bの分割端部側の内部に設けた拡径段部10、10ａに対
応した外径を有し、転輪３の外周面において、その中間部に膨出形成されたダイヤル部3a
の前後には各凹溝８に対応した環状の凹溝11を別途刻設し、又転輪３の内周には雌ねじ部
12を設けている。
そして、中間部外周に雄ねじ部13を設けたピストン２を転輪３に螺挿し、該転輪３のダ
イヤル部3aを、上記環状溝７を構成する前後分割体1a、1bの分割端部の開口部端面間に介
装する様にして、前後分割体1a、1bの拡径段部10、10ａ内に転輪３を配置し、各凹溝８に
、略半円弧状の止め具14を装着する（図３、４参照）。
止め具14の両端には、貫通孔９に対応した突片15が設けられ、該突片15が弁箱１内周の
一円周上に突出して転輪３の凹溝11内に摺動自在に嵌入されることで、前後分割体1a、1b
は転輪３により一体的に連結されて弁箱１を構成する。
そして、弁箱１外周面上に露出するダイヤル部3aを正逆回転することにより、ピストン
２を弁箱１内で進退自在と成している。
尚、ダイヤル部3aの表面には、図示しないローレット目を施している。
【０００８】
ピストン２は、弁座６に着離することにより流入口４を開閉する弁体16を前端に設ける
と共に、後端側が流出口５に開口した中空部17を設けた略円筒状に形成され、ピストン２
の前端側の側面の一円周上には、弁箱１とピストン２の前端側の側面との間に設けた流路
18を中空部17に連通させる複数の通水口19を、弁箱１の軸線に対し鋭角を以て流出口５向
きの斜めに開設している。
弁体16はゴム製の球状に形成され、一方の半球部をピストン２の前端より突出する様に
、他方の半球部をピストン２の前端開口部に装着しており、従って流入口４は弁体16の形
状に対応する様に二次側から一次側に向かって縮径した漏斗状に形成されている。
ピストン２において、雄ねじ部13と通水口19間の部位は環状に膨出形成され、この膨出
部20を、前方分割体1a内の拡径段部10より前方でこれより小径な段部21に摺動自在に挿嵌
している。
そして、上記段部21の前方端面に膨出部20の前端面が当接した時に、弁体16は弁座６に
着座して閉弁する様に設定している。
尚、図示しないが、膨出部20の前端面が段部21の前方端面に当接する前に弁体16が弁座
６に着座する様に設定しても良い。
ピストン２において、段部21及び後方分割体1bの小径部22に常に摺接する膨出部20及び
後方部2aの夫々には、Ｏリング23を周設し、該Ｏリング23間に存する転輪３で連結された
弁箱１内部空間を気密状に区画し、弁箱１からの漏水を防止している。
尚、弁箱１の流入口４及び流出口５には、配管連結用の継手部材24を設けている。
【０００９】
尚、弁体16は上記球状に限定されず、例えば図５、６に示す様に、ピストン２前端の閉
塞端面中央に突設したニードル形に形成したもの、又は図示しないが、ピストン２前端の
閉塞端面に面一に配した円盤形のものであっても良く、いずれの場合も流入口４及び弁座
６が弁体16に対応した形状に形成される。
【００１０】
次に本発明に係る軸流止水栓の作用について説明する。
弁箱１の外周に露出した転輪３のダイヤル部3aを正逆回転することにより、転輪３に螺
挿しているピストン２を進退させる。
即ち、ダイヤル部3aを正転すると、ピストン２は流入口４へ向かって前進し、ピストン
２の膨出部20の前端面が段部21に当接することにより、弁体16が弁座６に着座し閉弁する
ため、止水される。
そして、ダイヤル部3aを逆転すると、ピストン２は後退し、弁体16は弁座６より離脱し
、流入口４を開口させ、流入口４は流路18、通水口19、及び中空部17を経て流出口５に連
通するため通水する。
尚、弁体16が球状のものでは、流入口４から流入した流体は弁体16の球面に沿って流路
18へ流動するため、その流れがスムーズで圧力損失が少ない。
又、ニードル形の弁体16は、少流量の通水に適している。
【図面の簡単な説明】
【００１１】
【図１】軸流止水栓の止水状態を示す縦断面図である。
【図２】同上通水状態を示す縦断面図である。
【図３】前後分割体と転輪との連結状態を示す弁箱の一部破断側面図である。
【図４】図３のＡーＡ断面図である。
【図５】軸流止水栓の変形例であって止水状態を示す縦断面図である。
【図６】同上通水状態を示す縦断面図である。
【符号の説明】
【００１２】
１  弁箱
２  ピストン
３  転輪
3a  ダイヤル部
４  流入口
５  流出口
７  環状溝
16  弁体
17  中空部
18  流路
19  通水口
【図１】
2005256852.tif 000003
【図２】
2005256852.tif 000004
【図３】
2005256852.tif 000005
【図４】
2005256852.tif 000006
【図５】
2005256852.tif 000007
【図６】
2005256852.tif 000008